【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
高ダイナミックレンジのピクチャのシーケンスを符号化する方法であって、
前記シーケンスの夫々の高ダイナミックレンジのピクチャについて、
前記高ダイナミックレンジのピクチャの平均輝度を表す現在の値を得、
前記高ダイナミックレンジのピクチャを処理して、該処理をなされたピクチャの平均輝度を表す値が、前記現在の値であるよりも、定義された平均輝度値に近くなるようにし、
前記処理をなされた高ダイナミックレンジのピクチャを、前記高ダイナミックレンジのピクチャと同じ空間分解能の少なくとも１つの第１の低ダイナミックレンジのピクチャと、前記高ダイナミックレンジのピクチャの大域的輝度を表すより低い空間分解能の１つの第２の低ダイナミックレンジのピクチャとに分解し、
前記第１の低ダイナミックレンジのピクチャ及び前記第２の低ダイナミックレンジのピクチャと、前記現在の値の関数である少なくとも１つのデータ項目とを符号化する
ことを有する、ことを特徴とする方法。
【請求項２】
前記データ項目は、前記現在の値である、
請求項１に記載の方法。
【請求項３】
前記高ダイナミックレンジのピクチャを処理することは、前記現在の値から及び前記定義された平均輝度値からガンマ係数を決定し、該ガンマ係数に従って前記高ダイナミックレンジのピクチャに対してガンマ補正を適用することを有し、
前記データ項目は、ガンマ係数又はその逆数である、
請求項１に記載の方法。
【請求項４】
前記高ダイナミックレンジのピクチャの平均輝度を表す現在の値を得ることは、
対数値を得るよう前記高ダイナミックレンジのピクチャに対して対数関数を適用し、前記対数値を最小及び最大対数値に対して正規化して、正規化された対数値を得、
前記正規化された対数値から輝度値を決定し、
前記輝度値のメジアン又は平均値を決定する
ことを有し、
前記現在の値は、前記メジアン又は前記平均値である、
請求項１乃至３のうちいずれか一項に記載の方法。
【請求項５】
前記高ダイナミックレンジのピクチャを処理することは、前記現在の値の対数で除された前記定義された平均輝度値の対数と等しいガンマ係数に従って前記正規化された対数値に対してガンマ補正を適用することを有する、
請求項４に記載の方法。
【請求項６】
前記定義された平均輝度値は、中間グレイを表す、
請求項１乃至５のうちいずれか一項に記載の方法。
【請求項７】
Ｍが完全に１よりも大きい整数であるとして、前記シーケンスの少なくともＭ個の高ダイナミックレンジのピクチャにわたって、該Ｍ個の高ダイナミックレンジのピクチャについて決定された平均輝度値を表す前記現在の値に時間的にフィルタをかけることを更に有し、
前記Ｍ個の高ダイナミックレンジのピクチャのうちの少なくとも１つのピクチャの前記処理は、前記フィルタをかけられた値を使用する、
請求項１乃至６のうちいずれか一項に記載の方法。
【請求項８】
ガンマ補正を適用する前に、Ｍが完全に１よりも大きい整数であるとして、前記シーケンスの少なくともＭ個の高ダイナミックレンジのピクチャにわたって、該Ｍ個の高ダイナミックレンジのピクチャについて決定された前記ガンマ係数に時間的にフィルタをかけることを更に有し、
前記Ｍ個の高ダイナミックレンジのピクチャのうちの少なくとも１つのピクチャに対してガンマ補正を適用することは、前記フィルタをかけられたガンマ係数を使用する、
請求項３に記載の方法。
【請求項９】
高ダイナミックレンジのピクチャのシーケンスを復号する方法であって、
前記シーケンスの夫々の高ダイナミックレンジのピクチャについて、
前記高ダイナミックレンジのピクチャと同じ空間分解能の少なくとも１つの第１の低ダイナミックレンジのピクチャと、前記高ダイナミックレンジのピクチャの大域的輝度を表すより低い空間分解能の１つの第２の低ダイナミックレンジのピクチャと、平均輝度を表す目標値の関数である少なくとも１つのデータ項目とを復号し、
前記第１の低ダイナミックレンジのピクチャ及び前記第２の低ダイナミックレンジのピクチャから前記高ダイナミックレンジのピクチャを再構成し、
前記復号されたデータ項目を用いて前記再構成された高ダイナミックレンジのピクチャを処理して、該処理をなされたピクチャの平均輝度を表す値が、前記再構成された高ダイナミックレンジのピクチャの平均輝度を表す値よりも、前記目標値に近くなるようにする
ことを有する、ことを特徴とする方法。
【請求項１０】
前記復号されたデータ項目は、前記目標値である、
請求項９に記載の方法。
【請求項１１】
前記再構成された高ダイナミックレンジのピクチャを処理することは、前記目標値から及び定義された平均輝度値からガンマ係数を決定し、該ガンマ係数に従って前記再構成された高ダイナミックレンジのピクチャに対してガンマ補正を適用することを有する、
請求項１０に記載の方法。
【請求項１２】
前記データ項目は、ガンマ係数であり、
前記再構成された高ダイナミックレンジのピクチャを処理することは、前記ガンマ係数に従って前記再構成された高ダイナミックレンジのピクチャに対してガンマ補正を適用することを有する、
請求項９に記載の方法。
【請求項１３】
高ダイナミックレンジのピクチャのシーケンスを符号化する符号器であって、
夫々の高ダイナミックレンジのピクチャについて、当該高ダイナミックレンジのピクチャの平均輝度を表す現在の値を得る手段と、
前記高ダイナミックレンジのピクチャを処理して、該処理をなされたピクチャの平均輝度を表す値が、前記現在の値であるよりも、定義された平均輝度値に近くなるようにする手段と、
前記処理をなされた高ダイナミックレンジのピクチャを、前記高ダイナミックレンジのピクチャと同じ空間分解能の少なくとも１つの第１の低ダイナミックレンジのピクチャと、前記高ダイナミックレンジのピクチャの大域的輝度を表すより低い空間分解能の１つの第２の低ダイナミックレンジのピクチャとに分解する手段と、
前記第１の低ダイナミックレンジのピクチャ及び前記第２の低ダイナミックレンジのピクチャと、前記現在の値の関数である少なくとも１つのデータ項目とを符号化する手段と
を有する、ことを特徴とする符号器。
【請求項１４】
当該符号器は、請求項１乃至８のうちいずれか一項に記載の符号化する方法を実行するよう構成される、
請求項１３に記載の符号器。
【請求項１５】
高ダイナミックレンジのピクチャのシーケンスを復号する復号器であって、
夫々の高ダイナミックレンジのピクチャについて、当該高ダイナミックレンジのピクチャと同じ空間分解能の少なくとも１つの第１の低ダイナミックレンジのピクチャと、当該高ダイナミックレンジのピクチャの大域的輝度を表すより低い空間分解能の１つの第２の低ダイナミックレンジのピクチャと、平均輝度を表す目標値の関数である少なくとも１つのデータ項目とを復号する手段と、
前記第１の低ダイナミックレンジのピクチャ及び前記第２の低ダイナミックレンジのピクチャから前記高ダイナミックレンジのピクチャを再構成する手段と、
前記復号されたデータ項目を用いて前記再構成された高ダイナミックレンジのピクチャを処理して、該処理をなされたピクチャの平均輝度を表す値が、前記再構成された高ダイナミックレンジのピクチャの平均輝度を表す値であるよりも、前記目標値に近くなるようにする手段と
を有する、ことを特徴とする復号器。
【請求項１６】
当該復号器は、請求項９乃至１２のうちいずれか一項に記載の復号する方法を実行するよう構成される、
請求項１５に記載の復号器。
【請求項１７】
高ダイナミックレンジのピクチャのシーケンスを符号化するデータストリームを記憶しているプロセッサ読出可能な媒体であって、
前記データストリームは、前記シーケンスの夫々の高ダイナミックレンジのピクチャについて、
当該高ダイナミックレンジのピクチャと同じ空間分解能の少なくとも１つの第１の低ダイナミックレンジのピクチャと、当該高ダイナミックレンジのピクチャの大域的輝度を表すより低い空間分解能の１つの第２の低ダイナミックレンジのピクチャとを符号化するデータ、及び
当該高ダイナミックレンジのピクチャの平均輝度を表す目標値の関数である少なくとも１つのデータ項目であり、前記第１の低ダイナミックレンジのピクチャ及び前記第２の低ダイナミックレンジのピクチャから再構成された高ダイナミックレンジのピクチャを処理して、該処理をなされたピクチャの平均輝度を表す値が、前記再構成された高ダイナミックレンジのピクチャの平均輝度を表す値であるよりも、前記目標値に近くなるようにする前記少なくとも１つのデータ項目
を有する、プロセッサ読出可能な媒体。